(57)【要約】【課題】通信相手に応じて通話を自動的に録音することのできる録音機能付き電話機を提供すること。【解決手段】通信相手の名前、電話番号、「自動録音する／しない」を示す録音判定情報、通信相手情報と通話録音情報を記憶する記憶手段と、通信相手情報を設定する操作手段と、通話の録音状態を示す表示手段と、全体制御をつかさどる制御手段とを備え、通話の開始に際して通信相手が録音する相手として登録されているか否かを録音判定情報から確認し、その結果該当している場合に通話録音情報として録音を自動的に行う。【選択図】図１
2007019904.tif 000002
【特許請求の範囲】
【請求項１】
通信相手情報と通話録音情報を記憶する記憶手段と、
通話の録音対象に選択した通信相手情報を前記記憶手段に設定する操作手段と、
電話着信時または電話発信時に通話の録音対象に選択した通信相手との録音を自動的に行う制御手段と、
を備える録音機能付き電話機。
【請求項２】
前記通信相手情報は少なくとも通信相手を特定する電話番号と録音判定情報を含んで構成し、前記通話録音情報は少なくとも時刻と前記電話番号と録音音声データを含んで構成し、前記通信相手情報と前記通話録音情報を関連付けて前記記憶手段に記憶していることを特徴とする請求項１記載の録音機能付き電話機。
【請求項３】
少なくとも通信相手を特定する電話番号、グループ識別情報を含んだ通信相手情報と、少なくとも前記グループ識別情報で識別するグループ毎に前記録音判定情報と録音先を指定する情報を含んだグループ情報と、
通話録音情報と、
を記憶する記憶手段と、
前記グループ情報を前記記憶手段に設定する操作手段と、
電話着信時または電話発信時、前記通信相手情報に含まれた前記グループ識別情報に基づいて、前記グループ情報を特定し、前記グループ情報の録音判定情報を基に、前記指定された録音先へ通話録音を自動的に行う制御部を有する録音機能付き電話機。
【請求項４】
タイマー手段を更に設け、前記タイマー手段により通話の録音を電話着信時または電話発信が発生する時間帯に依存して実行するよう構成したことを特徴とする請求項１または３記載の録音機能付き電話機。
【請求項５】
予定表の作成・登録手段を更に設け、通話の録音は予め登録されている予定表を参照して行うことを特徴とする請求項１または３記載の録音機能付き電話機。
【請求項６】
少なくとも通信相手を特定する電話番号、通話時間を含んだ通話履歴情報と、
電話番号を含んだ通信相手情報とを記憶する記憶手段と、
通話の録音対象に選択した通信相手情報を前記記憶手段に設定する操作手段と、
前記通話時間から求めた平均通話時間に基づいて録音品質を決定する録音品質決定手段と、
を有する録音機能付き電話機。
【請求項７】
通話開始からの通話時間を測る通話時間計測手段を更に設け、
前記記憶手段へ通話録音情報を記憶する場合に、通話開始からの通話時間の長さに基づいて録音品質を決定することを特徴とする請求項６記載の録音機能付き電話機。
【請求項８】
通話の録音状態を示す表示手段を更に設け、通話の録音状態を表示手段の画像で表示し、または音声で表示することを特徴とする請求項１から請求項７のいずれかに記載の録音機能付き電話機。
【請求項９】
電話着信または電話発信により自動的に開始された前記通話の録音は前記通話中において前記通話を中断することなく、前記操作手段の指示により任意のタイミングで録音を中止する、または通話の録音がされてない場合、前記操作手段の指示により任意のタイミングで録音を開始する録音スイッチ手段を設けたことを特徴とする請求項１から請求項７のいずれかに記載の録音機能付き電話機。
【発明の詳細な説明】
【技術分野】
【０００１】
本発明は電話機に関し、特に通信相手先との通話を自動的に録音する録音機能付き電話機に関する。
【背景技術】
【０００２】
従来の録音機能付き電話機、特に携帯電話機では会議などで着信に応答できない場合に相手の声を録音する留守番電話機能を備えたものがあった。例えば図１４に示すように制御部、タイマー部、ＲＡＭ部等で構成され、ＲＡＭ部に記憶されている留守番電話機能の起動および解除を行うスケジュールテーブルを基に、計時動作を行うタイマー部からの時刻情報に基づいて制御部の判断動作で、留守番電話機能が起動されるべき時刻において自動的に留守番電話の待ち受け状態に切り換えられ、また、留守番電話機能が解除されるべき時刻になると自動的に通常電話の待ち受け状態に切り換えるものが知られている。この携帯電話機によれば、留守番電話の待ち受け状態で着信があった場合、予め設定した応答が行われると共に発信者の伝達情報を録音開始することが開示されている（例えば、特許文献１参照）。
【０００３】
また、通話中の録音に関してはユーザが直接的に録音キーの操作を行うことにより通話の録音を開始することが開示されている（例えば、特許文献２参照）。
【特許文献１】特開２０００−３２１２１号公報（第４−７頁、第１図）
【特許文献２】特開平１１−１９６１７７号公報（第２頁）
【発明の開示】
【発明が解決しようとする課題】
【０００４】
しかしながら、従来の録音機能付き電話機においては、留守番モードにおいて発呼者へ留守番応答し、その結果、発呼者がメッセージを残したい場合にだけ録音が行われることや、或いはユーザが直接的に録音操作を行ったときだけ通話中の録音が可能で、予め設定した条件下で通話中の音声を自動的に録音する方法が実現されていないという問題があった。
【０００５】
本発明は、従来の問題を解決するためになされたもので、通話における音声をユーザが直接的に録音操作することなく自動的に録音することのできる録音機能付き電話機を提供することを目的とする。
【課題を解決するための手段】
【０００６】
本発明の録音機能付き電話機は、通信相手情報と通話録音情報を記憶する記憶手段と、通話の録音対象に選択した通信相手情報を記憶手段に設定する操作手段と、電話着信時または電話発信時に通話の録音対象に選択した通信相手との録音を自動的に行う制御手段とから構成している。
【０００７】
この構成により、電話着信時または電話発信時に通話の録音対象に選択した通信相手との録音を自動的に行うことができる。
【０００８】
また、本発明の録音機能付き電話機は、通信相手情報は少なくとも通信相手を特定する電話番号と録音判定情報を含んで構成し、また通話録音情報は少なくとも時刻と電話番号と録音音声データを含んで構成し、通信相手情報と通話録音情報を関連付けて記憶手段に記憶しているとしている。この構成により、通信相手の電話番号で関連付けた通話録音情報の記憶が可能となる。
【０００９】
また、本発明の録音機能付き電話機は、少なくとも通信相手を特定する電話番号、グループ識別情報を含んだ通信相手情報と、少なくともグループ識別情報で識別するグループ毎に録音判定情報と録音先を指定する情報を含んだグループ情報と、通話録音情報とを記憶する記憶手段と、グループ情報を記憶手段に設定する操作手段と、電話着信時または電話発信時、通信相手情報に含まれたグループ識別情報に基づいて、グループ情報を特定し、グループ情報の録音判定情報を基に、指定された録音先へ通話録音を自動的に行う制御部とから構成している。
【００１０】
この構成により、電話着信時または電話発信時、グループ識別情報で関連付けた録音判定情報を基に、指定された録音先へ通話録音が自動的に行われるようになる。即ち電話着信時或いはユーザが発信する場合の録音は、通信相手情報で振り分けられたグループ単位で行われることになる。
【００１１】
また、本発明の録音機能付き電話機は、前記の構成にタイマー手段を更に設け、該タイマー手段により通話の録音を電話着信時または電話発信を行う時間帯に依存して実行することとしている。このことにより、例えば平日昼間の通話は業務上に関するものが多いので、すべて自動的に録音することやその他夜間の時間帯や休日は自動録音の対象外に一義的に設定することが可能になる。
【００１２】
また、本発明の録音機能付き電話機は、予定表の作成・登録手段を更に設け、通話の録音は予め登録されている予定表を参照して行うとしている。このことにより、例えば折り返し電話することが多い会議中や出張先への着信に対して、予定表に「会議」や「出張」と予め登録してある場合、同予定表に基づいて自動的に録音動作が開始すればわざわざ留守番モード等へ変える面倒な操作をしなくても、確実に通話の録音ができることから、折り返し電話のかけ忘れ防止やフォローも確実に行えることになる。
【００１３】
また、本発明の録音機能付き電話機は、少なくとも通信相手を特定する電話番号、通話時間を含んだ通話履歴情報と、電話番号を含んだ通信相手情報とを記憶する記憶手段と、通話の録音対象に選択した通信相手情報を記憶手段に設定する操作手段と、通話時間から求めた平均通話時間に基づいて録音品質を決定する録音品質決定手段とから構成している。
【００１４】
この構成により、過去の通話において平均的に通話時間の長い通信相手に対しては録音品質を落として通話を録音し、そうでない通信相手の場合には通常の録音品質で通話を録音することにより、通話録音情報を記憶するためのメモリの効率的活用が図れることになる。
【００１５】
また、本発明の録音機能付き電話機は、通話開始からの通話時間を測る通話時間計測手段を更に設け、記憶手段へ通話録音情報を記憶する場合に、通話開始からの通話時間の長さに基づいて録音品質を決定することとしている。このことにより、通話時間が長い場合は録音品質を落として再録音することによって通話録音情報を記憶するためのメモリの効率的活用が図れることになる。
【００１６】
また、本発明の録音機能付き電話機は、通話の録音状態を示す表示手段を更に設け、通話の録音状態を表示手段の画像で表示し、または音声で表示することができるとしている。このことにより、ユーザは確実に録音されていることをいつでも確認することができるので安心して使える録音機能を提供することが可能になる。
【００１７】
また、本発明の録音機能付き電話機は、電話着信または電話発信により自動的に開始された前記通話の録音は前記通話中において前記通話を中断することなく、前記操作手段の指示により任意のタイミングで録音を中止する、または通話の録音がされてない場合、前記操作手段の指示により任意のタイミングで録音を開始する録音スイッチ手段を設け、任意のタイミングで録音を開始することができるとしている。
【００１８】
このことにより、本発明の録音機能付き電話機は自動的に録音開始することもユーザの手動による操作によっても録音の停止や開始が可能となり録音機能の利便性の向上が図れることになる。
【発明の効果】
【００１９】
本発明は、電話着信時または電話発信時に、通信相手の発信者情報の録音判定情報を基に、会話の寸断や煩わしい直前の操作をすることなく、通話の録音を自動的に開始することができる。また、発信者グループ別あるいは時間帯に応じてあるいはスケジュール表に応じて通話の録音を自動的に開始することができる。
【発明を実施するための最良の形態】
【００２０】
以下、本発明を実施するための最良の形態について、図面を参照しながら説明する。尚、以下の実施の形態の説明では携帯電話機を例に行い、全図を通じて同一符号は同一対象物を表す。
【００２１】
（実施の形態１）
図１は、本発明の実施の形態１における録音機能付き電話機のブロック図である。図１において、本発明の録音機能付き電話機１００は通信相手情報即ち電話帳データ１０６と通話録音情報即ち通話録音データ１０７を記憶するための記憶手段である記憶部１０５と、通話の録音対象に選択した通信相手情報を予め記憶部１０５に設定するための操作手段である操作部１０３と、通話の録音状態を確認できる表示手段である表示部１０２と、全体制御をつかさどる制御手段である制御部１０４と通信機能を有する通信部１０１、音声入力のためのマイク１０８、音声出力するためのスピーカ１０９から構成されている。
【００２２】
図２は記憶部１０５に格納するデータの一例を示す。なお、図２（ａ）は電話帳データを示し、図２（ｂ）は通話録音データを示す。記憶部１０５には前述したように電話帳データ１０６と通話録音データ１０７が格納される。図２（ａ）に示すように電話帳データ１０６は通信相手の名前１０６ａ、通信相手の電話番号１０６ｂとともに録音判定情報１０６ｃ即ち、該当する通信相手先と通話を行う際、自動録音する対象とするか否かを予め登録するための情報「自動録音する／しない」で構成し、通信相手先ごとに予め操作部１０３の操作によりユーザが登録する。
【００２３】
一方、通話録音データ１０７は図２（ｂ）に示すように通話の録音を開始した時刻１０７ａ、通信相手の電話番号１０６ｂと通話録音内容である音声データ１０７ｃで構成し、通話の録音ごとに制御部１０４の機能を介して格納される。
【００２４】
以上のように構成された録音機能付き電話機１００について、図３を用いてその動作を説明する。図３は本発明の録音機能付き電話機１００の動作を示すフローチャートである。着信時あるいは自ら電話を発信すると（Ｓ３０１）、制御部１０４は通信相手先電話番号が電話帳データ１０６に登録されているか否かを確認する。また「自動録音する」相手として登録されているか否かを確認する（Ｓ３０２）。
【００２５】
通信相手先電話番号が登録されていて、且つ「自動録音する」相手として登録されている場合（Ｓ３０２のＹｅｓ）、制御部１０４の機能を介して録音が開始される（Ｓ３０３）。即ち、現在時刻１０７ａと通信相手先電話番号１０６ｂが通話録音データ１０７へ順次格納され、続いて通話内容が逐次Ａ／Ｄ変換され所定のディジタル信号形式となって音声データ１０７ｃとして格納されていく。
【００２６】
着信時または発信時通信相手先電話番号が未登録通信相手または「自動録音する」相手として登録されていない場合（Ｓ３０２のＮｏ）、通話の録音は行わない。通話終了の操作を使用者が操作部１０３で行い、制御部１０４が検知すると（Ｓ３０４のＹｅｓ）、通話を録音している場合（Ｓ３０５のＹｅｓ）、制御部１０４の機能により記憶部１０５への音声データ１０７ｃの格納を中止して録音を終了し（Ｓ３０６）、着信待機状態等へ復帰する。通信相手との通話を録音していない場合（Ｓ３０５のＮｏ）には通話の終了を制御部１０４が検知して着信待機状態等へ復帰することになる。
【００２７】
このような本発明の第１の実施の形態の録音機能付き電話機によれば、記憶部１０５に格納する電話帳データ１０６に通信相手先ごとに予めユーザが登録する名前１０６ａ、電話番号１０６ｂとともに録音判定情報１０６ｃ、即ち該当する通信相手の通話を自動録音する対象とするか否かの情報「自動録音する／しない」を設けることにより、例えば着信時、通常の着信操作以外のキー操作をまったく必要とすることなく、予め登録した通信相手との通話を確実に録音することができる。
【００２８】
録音した通話を再生する場合は再生したい通信相手の電話番号を操作部１０３から指定し、再生指示を行うことにより制御部１０４は通話録音データ１０７の中から電話番号でリンクした該当する音声データ１０７ｃを読み出して、スピーカ１０９を介して再生することができる。
【００２９】
なお、以上の説明では、通話終了の操作をユーザが操作部１０３で行うと、通話を録音している場合、制御部１０４の機能により録音を終了し、着信待機状態等へ復帰すると説明したが、通話は継続しながら録音のみ終了することも操作部１０３に割り付けた操作キーの指示で制御部１０４を介して同様に実施可能である。また通話開始時に自動的に録音が開始されてない場合において、通話中にユーザが録音したい場合に、ユーザが操作部１０３から指示することで制御部１０４を介して録音を開始できることについても同様に実施可能である。
【００３０】
（実施の形態２）
次に本発明の第２の実施の形態について説明する。実施の形態２では、通信相手の属するグループ毎に設定した条件に応じて自動的に録音を開始するようにしている。
【００３１】
図４は本発明の実施の形態２における録音機能付き電話機のブロック図である。図４において、本発明の録音機能付き電話機２００は電話帳データ２０６と通話録音データ１０７とグループ情報を記憶するためのグループ毎設定データ２０８を格納する記憶部２０５と本発明の録音機能付き電話機２００に着脱可能なメモリである外部メモリ２１０と外部メモリ２１０へのアクセスを含め全体制御をつかさどる制御部２０４、通信部１０１、表示部１０２、操作部１０３、マイク１０８、スピーカ１０９から構成している。外部メモリ２１０は電話機に着脱可能なＳＤメモリをはじめとする各種メモリが相当する。
【００３２】
図５は記憶部２０５に格納するデータの一例を示す。図５（ａ）は電話帳データを示す。図５（ｂ）は通話録音データを示す。図５（ｃ）はグループ毎設定データを示す。図５（ａ）に示す電話帳データ２０６は通信相手の名前２０６ａ、通信相手の電話番号２０６ｂとともにグループ識別情報２０６ｃで構成する。ここでグループ識別情報２０６ｃとはユーザが通信相手先毎を意図的に振り分けて登録したグループを識別するためのもので、例えば仕事に関係したグループとか、あるいは趣味に関係したグループとかで通信相手を振り分けて付けたそのグループを特定する情報である。
【００３３】
図５（ｃ）に示すグループ毎設定データ２０８はグループ単位の機能を予めユーザが登録するもので前述した録音判定情報２０８ａ、即ち自動録音する対象とするか否か指定するための「自動録音する／しない」と通話の録音先を登録するための「携帯本体／外部メモリ」２０８ｂがある。「携帯本体／外部メモリ」２０８ｂで「携帯本体」が指定されている場合、通話の録音内容は記憶部２０５の通話録音データ１０７に格納され、「外部メモリ」が指定されている場合、外部メモリ２１０に制御部１０４の機能を介して通話を格納する。
【００３４】
そしてグループ毎設定データ２０８は電話帳データ２０６のグループ識別情報２０６ｃとリンクして制御され、通信録音データ１０７は電話帳データ２０６の電話番号２０６ｂとリンクして制御される。以上のように構成された録音機能付き電話機２００について、図６を用いてその動作を説明する。図６は本発明の録音機能付き電話機２００の動作を示すフローチャートである。
【００３５】
図６において、着信時あるいは自ら電話を発信すると（Ｓ６０１）、制御部２０４は通信相手先電話番号が電話帳データ２０６に登録されているか否かを確認する（Ｓ６０２）。通信相手先電話番号が電話帳データ２０６に登録されている場合（Ｓ６０２のＹｅｓ）、グループ識別情報２０６ｃと一致するグループ毎設定データ２０８のグループ識別情報に登録されている内容を確認し「自動録音する」グループとして登録されているか否かを確認する（Ｓ６０３）。
【００３６】
通信相手先電話番号が属するグループ設定が「自動録音する」に登録されている場合（Ｓ６０３のＹｅｓ）、録音データの格納場所を確認する（Ｓ６０４）。携帯電話本体への格納が登録されている場合（Ｓ６０４のＹｅｓ）通話内容は制御部２０４の機能を介して記憶部２０５の通話録音データ１０７へ通話内容の録音データ格納を開始する（Ｓ６０５）。
【００３７】
即ち、現在時刻１０７ａと通信相手先電話番号１０７ｂが通話録音データ１０７へ順次格納され、続いて通話内容が逐次Ａ／Ｄ変換され所定のディジタル信号形式となって格納されていく。
【００３８】
一方、外部メモリへの格納が登録されている場合（Ｓ６０４のＮｏ）、通話内容は制御部２０４の機能を介して外部メモリ２１０へ通話録音データ１０７への格納と同様な形式にて格納が開始される（Ｓ６０６）。
【００３９】
録音は通信相手先との通話が終了するまで持続し（Ｓ６０７のＮｏ）、通話終了の操作をユーザが操作部１０３から行うと制御部２０４は通話終了の処理に入る（Ｓ６０７のＹｅｓ）。通話を録音している場合（Ｓ６０８のＹｅｓ）、通話音声データの格納を中止して録音を終了し（Ｓ６０９）、着信待機状態等へ復帰する。通話を録音していない場合（Ｓ６０８のＮｏ）も着信待機状態等へ復帰する。
【００４０】
このような本発明の第２の実施の形態の録音機能付き電話機によれば、記憶部２０５に格納する電話帳データ２０６に通信相手先ごとに予めユーザが登録する名前２０６ａ、電話番号２０６ｂとともにグループ識別情報２０６ｃを設定し、該グループ識別情報２０６ｃで関連付けたグループ毎設定データ２０８において録音判定情報２０８ａ、即ち該当する通信相手の通話を自動録音する対象とするか否か指定するための「自動録音する／しない」を設けることによりグループ単位で、例えば着信時、通常の着信操作以外のキー操作をすることなく、グループで設定した状態で通話を確実に録音することができることになる。また格納するメモリ場所を登録しておくことでグループ単位での一括した通話の収録が外部メモリ２１０を含め得られることになる。
【００４１】
録音した通話を再生する場合は再生したい通信相手の電話番号２０６ｂを操作部１０３から指定し、再生指示を行えば制御部２０４の機能により、電話番号２０６ｂとグループ識別情報２０６ｃから該当する通話録音データ１０７の音声データを読み出し、スピーカ１０９を介して再生する。また外部メモリに録音した場合は外部メモリを他の録音再生機器で再生することもできる。
【００４２】
（実施の形態３）
次に本発明の第３の実施の形態について説明する。実施の形態３では録音を通話の開始された時間帯に依存して行うようにしたもので、例えば平日の８：３０から１７：００の時間帯に発生する通話は仕事上の関係で行うことが多く発生することから、この時間帯に行う通話はすべて録音するようにする。
【００４３】
図７は本発明の実施の形態３における録音機能付き電話機のブロック図である。また図８は本発明の実施の形態３における録音時間帯データのデータ構成を示す。図７において、本発明の録音機能付き電話機３００は時刻を計時するタイマー手段であるタイマー部３１０と記憶部３０５と、記憶部３０５に格納されている録音時間帯データ３２０を有し、録音時間帯データ３２０は操作部１０３を操作してユーザが指定する録音開始時間３２０ｂと録音終了時間３２０ｃと有効／無効フラグ３２０ａとで構成する。
【００４４】
以上のように構成された録音機能付き電話機３００について、その動作を説明する。着信あるいは自ら電話を発信し通信相手との通話を行う場合、制御部３０４は録音時間帯データ３２０の有効／無効フラグ３２０ａを確認する。そして該有効／無効フラグ３２０ａが「有効」となっていれば、タイマー部３１０で現在時刻を読み取り、読み込んだ現在時刻が指定録音時間帯即ち、前述の録音開始時間３２０ｂと録音終了時間３２０ｃ内か否かを確認する。ここで現在時刻が録音時間帯であれば録音を自動的に開始する。
【００４５】
即ち、制御部３０４の機能を介して記憶部３０５の通話録音データ１０７へ録音データの格納を開始する。録音は通話が終了するまで行われる。前述の有効／無効フラグ３２０ａが「無効」である場合、または読み込んだ現在時刻が指定録音時間帯外の場合には録音は開始されない。
【００４６】
このような本発明の第３の実施の形態の録音機能付き電話機によれば、タイマー部３１０と記憶部３０５と録音時間帯データ３２０を設けることにより、着信時または電話発信が発生する時間帯に依存して通話の録音を自動的に実行できることになる。
【００４７】
（実施の形態４）
次に本発明の第４の実施の形態について説明する。実施の形態４では予め登録されている予定表を参照して録音を行うようにしている。図９は本発明の実施の形態４における録音機能付き電話機のブロック図である。図９において、本発明の録音機能付き電話機４００は予定表の作成・登録手段である予定表作成部４１０、予定表データ４０８を記憶している記憶部４０５、タイマー部３１０を有している。予定表データ４０８は図示しないが時刻情報と予定内容情報と録音対象マーク情報で構成されている。
【００４８】
以上のように構成された録音機能付き電話機４００について、その動作を説明する。ユーザは操作部１０３を操作し、予定表作成部４１０と制御部４０４を介して予定表を作成し予定表データ４０８へ登録・格納する。例えば、１０：００から１１：００までの会議の予定の登録は、予定内容情報として「会議」、時刻情報として「１０：００」と「１１：００」を登録し、さらにその会議中の通話を録音の対象にしたい場合、録音対象マーク情報も登録する。例えば、録音対象マーク情報としてアスタリスク「＊」を前述の時刻情報、予定内容情報とともに予定表データ４０８に登録する。
【００４９】
着信時あるいは自ら電話を発信し通信相手との通話を行う場合、制御部４０４はタイマー部３１０から現在時刻を読み取り、読み込んだ現在時刻で予定表データ４０８の時刻情報を参照する。予定表データ４０８に現在時刻が含まれる予定内容が存在する場合、同予定は録音対象マーク情報のアスタリスク「＊」付きか否か確認する。ここで録音対象マーク情報のアスタリスク「＊」がついた予定が確認された場合、通話の録音が開始されることになる。
【００５０】
このような本発明の第４の実施の形態の録音機能付き電話機によれば、予定表作成部４１０、記憶部４０５の予定表データ４０８を設けることにより、例えば、予定表が「会議」と登録されいる場合に、一般的に会議中の着信電話は、着信時点で十分な通話を行うことができない可能性が高く、従ってあとから折り返し電話することが多い。その場合、誰からの着信であったか、どんな内容であったか簡単な内容が録音されていれば忘れることなく着信のフォローができることになる。
【００５１】
なお、本発明の録音機能付き電話機において、通話の自動的な録音開始に関するその優先順位は前記した通話相手先電話番号、同電話番号が属するグループ番号、着信の時間帯、予定表とのリンク、をすべてユーザが指定できる。
【００５２】
（実施の形態５）
次に本発明の第５の実施の形態について説明する。実施の形態５では通話履歴情報の通話時間から求めた平均通話時間に基づいて録音品質を決定するようにしている。図１０は本発明の実施の形態５の録音機能付き電話機のブロック図である。
【００５３】
図１０において本発明の録音機能付き電話機５００は電話帳データ１０６と通話録音データ１０７と通信相手先別の通話履歴情報である相手先別通話履歴５０６を記憶するための記憶手段である記憶部５０５と録音品質を決定する録音品質決定手段である録音品質決定部５１０と記憶部５０５、録音品質決定部５１０とのアクセスを含め全体制御をつかさどる制御部５０４、通信部１０１、表示部１０２、操作部１０３、マイク１０８、スピーカ１０９から構成している。
【００５４】
図１１は記憶部５０５に格納している相手先別通話履歴５０６のデータ構成の一例を示す。履歴データは通信相手先別に通信の発生した日時と通信相手先の電話番号と通話を行った通話時間で構成する。前記の録音品質決定部５１０は相手先別の前記通話時間に基いて録音品質を決定する機能を有している。即ち、相手先別通話履歴５０６の通話時間から、その平均通話時間を求め、求めた平均通話時間が判定条件より長ければ、長時間の録音ができるように録音品質を低くするように制御部５０４へ指示する。例えば平均通話時間１０分を判定条件とした場合、１０分以上の平均通話時間を要する通信相手との録音は品質を低くして行い、録音時間をカバーするように制御部５０４へ指示する。判定条件はユーザが操作部１０３から設定し、録音品質決定部５１０に格納している。
【００５５】
以上のように構成された録音機能付き電話機について、図１２を用いてその動作を説明する。図１２は本発明の録音機能付き電話機５００の動作を示すフローチャートである。
【００５６】
着信時あるいは自ら電話を発信する（Ｓ１１０）と制御部３０４は通信相手先電話番号が電話帳データ１０６に登録されているか否かを確認する。また「自動録音する」相手として登録されているか否かを確認する（Ｓ１１１）。通信相手先電話番号が登録されていて、且つ「自動録音する」相手として登録されている場合（Ｓ１１１のＹｅｓ）には、録音品質決定部５１０からの指示を制御部５０４は確認する（Ｓ１１２）。
【００５７】
ここで例えば平均通話時間が１０分超の通信相手先で録音品質決定部５１０から低品質の録音指示がある場合（Ｓ１１２のＮｏ）、録音は低品質で行うことを制御部５０４は設定する（Ｓ１１３）。平均通話時間が１０分以内の通信相手先で録音品質決定部５１０から高品質の録音指示がある場合（Ｓ１１２のＹｅｓ）、録音は高品質で行うことを制御部５０４は設定する（Ｓ１１４）。次に通話内容の録音が開始され（Ｓ１１５）、通話が終了するまで持続する。
【００５８】
以上のように本発明の第５の実施の形態の録音機能付き電話機によれば、記憶部５０５で通話相手先毎に通話時間を保持している相手先別通話履歴５０６と録音品質決定部５１０とを設けることにより、通信録音データ量に大きな影響をおよぼす通話時間長に依存して録音品質を自動的に変えて録音することから、メモリ容量を有効に活用するとともに通話中のメモリ不足による録音中断をできるだけ避けることが可能になる。
【００５９】
なお、以上の説明では、録音品質決定部５１０の判定条件を平均通話時間で説明したが、その他の例えば一時的に高品質で録音しておき、通話が終了した時点で通話時間が一定時間より長ければ、録音品質を下げて保存するようにしても同様に実施可能である。さらにその他の例えば電波状態が悪ければ録音品質を上げて行い、また夜間は比較的長い時間通話する場合が多いいことから録音品質を下げて録音する場合についても同様に実施可能である。
【００６０】
（実施の形態６）
次に本発明の第６の実施の形態について説明する。図１３は、本発明の実施の形態６の録音機能付き電話機の概観図で、特に録音中の表示、通知方法を示す図である。図１３において表示部１０２は画面１２１と表示素子例えばＬＥＤ１２２とスピーカ１０９から構成されている。以上のように構成された録音機能付き電話機の録音中の表示、通知方法を説明する。
【００６１】
図１３（ａ）は通話の録音が開始されると画面１２１上に録音中であることを文字１２１ａ、アイコン１２１ｂで表示しユーザへ伝達することを示している。図１３（ｂ）は文字１２１ａ、アイコン１２１ｂとＬＥＤ１２２による方法である。ＬＥＤ１２２は点滅または点灯により録音状態を表示する。図１３（ｃ）は文字１２１ａ、アイコン１２１ｂと音声による方法を示しており、録音が開始されるとスピーカ１０９から録音中であることを音声で伝達する。
【００６２】
発生する音声は単語、短文または特定音でもよく、伝達するタイミングも録音開始時や録音中は時々発生する、またはユーザの操作部１０３からの確認リクエストに対応して作動するようにした場合についても同様に実施可能である。このように録音状態を表示することによりユーザは確実に通話の録音がなされていることを確認でき、安心して通話ができることになる。
【００６３】
なお、以上の実施の形態では携帯電話機を例に説明をしたが、固定電話機でも同様に実施可能である。
【産業上の利用可能性】
【００６４】
以上のように、本発明にかかる録音機能付き電話機は、電話着信時または電話発信時、通信相手の発信者情報の録音判定情報を基に会話の寸断や煩わしい直前の操作をすることなく通話の録音を自動的に開始できるという効果を有し、携帯電話機を含め電話機において、特に予め設定した着信相手番号や着信時間帯またはスケジュール管理機能に関係して通信相手との会話を自動的に録音できるものとして有用である。
【図面の簡単な説明】
【００６５】
【図１】本発明の実施の形態１における録音機能付き電話機のブロック図
【図２】（ａ）本発明の実施の形態１における録音機能付き電話機の記憶部に格納する電話帳データの構成図（ｂ）本発明の実施の形態１における録音機能付き電話機の記憶部に格納する通話録音データの構成図
【図３】本発明の実施の形態１における録音機能付き電話機の動作のフロー図
【図４】本発明の実施の形態２における録音機能付き電話機のブロック図
【図５】（ａ）本発明の実施の形態２における録音機能付き電話機の記憶部に格納する電話帳データの構成図（ｂ）本発明の実施の形態２における録音機能付き電話機の記憶部に格納する通話録音データの構成図（ｃ）本発明の実施の形態２における録音機能付き電話機の記憶部に格納するグループ毎設定データの構成図
【図６】本発明の実施の形態２における録音機能付き電話機の動作説明のためのフロー図
【図７】本発明の実施の形態３における録音機能付き電話機のブロック図
【図８】本発明の実施の形態３における録音機能付き電話機の記憶部に格納する録音時間帯データの構成図
【図９】本発明の実施の形態４における録音機能付き電話機のブロック図
【図１０】本発明の実施の形態５における録音機能付き電話機のブロック図
【図１１】発明の実施の形態５における録音機能付き電話機の記憶部に格納する相手先別通話履歴の構成図
【図１２】本発明の実施の形態５における録音機能付き電話機の動作のフロー図
【図１３】（ａ）本発明の実施の形態６における録音機能付き電話機の録音中の表示、通知方法を示す図（ｂ）本発明の実施の形態６における録音機能付き電話機の録音中の表示、通知方法を示す図（ｃ）本発明の実施の形態６における録音機能付き電話機の録音中の表示、通知方法を示す図
【図１４】従来の録音機能付き電話機のブロック図
【符号の説明】
【００６６】
１００，２００，３００，４００，５００  録音機能付き電話機
１０１  通信部
１０２  表示部
１０３  操作部
１０４，２０４，３０４，４０４，５０４  制御部
１０５，２０５，３０５，４０５，５０５  記憶部
１０６，２０６  電話帳データ
１０７  通話録音データ
１０８  マイク
１０９  スピーカ
１２１  画面
１２２  表示素子
２０８  グループ毎設定データ
２１０  外部メモリ
３１０  タイマー部
３２０  録音時間帯データ
４０８  予定表データ
４１０  予定表作成部
５０６  相手先別通話履歴
５１０  録音品質決定部
【図１】
2007019904.tif 000003
【図２】
2007019904.tif 000004
【図３】
2007019904.tif 000005
【図４】
2007019904.tif 000006
【図５】
2007019904.tif 000007
【図６】
2007019904.tif 000008
【図７】
2007019904.tif 000009
【図８】
2007019904.tif 000010
【図９】
2007019904.tif 000011
【図１０】
2007019904.tif 000012
【図１１】
2007019904.tif 000013
【図１２】
2007019904.tif 000014
【図１３】
2007019904.tif 000015
【図１４】
2007019904.tif 000016